(57)【特許請求の範囲】
【請求項１】
複数の撮像装置により撮像された各画像に関連付けられる名称を他の画像に対応する名称と互いに異ならせた固有の名称とする生成条件に従って、前記複数の撮像装置のそれぞれで撮像された各画像に対して異なる名称を自動的に生成させる名称生成手段と、
ユーザによる操作部の所定操作に基づいて前記生成条件を任意に指定するか、或いは、所定の設定条件に基づいて複数の異なる前記生成条件のいずれかを指定し、この指定された生成条件を他の撮像装置に設定する設定手段と、
を備えたことを特徴とする撮像装置。
【請求項２】
撮像手段により撮像された各画像に関連付けられる名称が他のいずれの画像に対応する名称とも互いに異ならせた固有の名称となるように、１つ１つの画像に対応させて異なる名称を自動的に生成していく生成条件に従って各画像に対応する名称を自動的に生成する名称生成手段と、
ユーザによる操作部の所定操作に基づいて前記生成条件を任意に設定するか、或いは、所定の設定条件に基づいて複数の異なる前記生成条件のいずれかを選択して設定する設定手段と、
を備えたことを特徴とする撮像装置。
【請求項３】
前記設定手段により設定された生成条件を含む設定情報を記録する記録手段と、
前記設定情報が前記記録手段に記録されているか否かを判定する判定手段を更に備え、
前記名称生成手段は、前記判定手段により前記設定情報が記録されていないと判定された場合に、予め設定されている他の生成条件に従って前記画像に関連付けられる名称を生成することを特徴とする請求項１または２に記載の撮像装置。
【請求項４】
前記生成条件は、所定の通信回線を介して接続される他の撮像装置により撮像される画像に関連付けられる名称を生成する際の条件を含むことを特徴とする請求項３に記載の撮像装置。
【請求項５】
所定の通信回線を介して接続される他の撮像装置と通信する通信手段を更に備え、
前記記録手段は、前記他の撮像装置から送信され前記通信手段により受信された前記設定情報を記録することを特徴とする請求項３または４に記載の撮像装置。
【請求項６】
前記設定手段は、複数の生成条件の中で、いずれかの他の撮像装置に対して設定済みの生成条件を除外することで、これまでに設定済みの生成条件に従って生成される複数の名称とは異なる複数の名称を生成するための生成条件を新たに設定することを特徴とする請求項１〜５の何れか一項に記載の撮像装置。
【請求項７】
前記設定手段は、所定の通信回線を介して接続された他の撮像装置に設定された生成条件に従って生成される複数の名称とは異なる複数の名称を生成するための生成条件を設定することを特徴とする請求項６に記載の撮像装置。
【請求項８】
各々の生成条件に従って前記名称生成手段により生成される複数の名称を互いに異ならせるような複数の生成条件を生成する第１条件生成手段を更に備えることを特徴とする請求項１〜７の何れか一項に記載の撮像装置。
【請求項９】
前記第１条件生成手段により生成された前記複数の生成条件を表示手段に表示させる表示制御手段を更に備え、
前記設定手段は、前記表示制御手段により表示された前記複数の生成条件の中で、ユーザによる操作部の所定操作に基づいて指定された何れか一の生成条件を設定することを特徴とする請求項８に記載の撮像装置。
【請求項１０】
ユーザによる操作部の所定操作に基づいて指定されるか、或いは、所定の通信回線を介して接続される撮像装置の数に応じて、当該撮像装置の台数分の生成条件を生成する第２条件生成手段を更に備えることを特徴とする請求項１〜７の何れか一項に記載の撮像装置。
【請求項１１】
前記画像に関連付けられる名称は、当該画像が記録されるファイルの名称及び当該画像を格納するフォルダの名称のうち、少なくとも一方を含むことを特徴とする請求項１〜１０の何れか一項に記載の撮像装置。
【請求項１２】
前記画像に関連付けられる名称は、番号を含む名称であり、
前記生成条件は、所定の通信回線を介して接続される撮像装置毎に互いに異なる範囲内の番号を含む名称を生成するための条件を含むことを特徴とする請求項１〜１１の何れか一項に記載の撮像装置。
【請求項１３】
複数の撮像装置を用いた撮像方法であって、
複数の撮像装置により撮像された各画像に関連付けられる名称を他の画像に対応する名称と互いに異ならせた固有の名称とする生成条件に従って、前記複数の撮像装置のそれぞれで撮像された各画像に対して異なる名称を自動的に生成させる処理と、
ユーザによる操作部の所定操作に基づいて前記生成条件を任意に指定するか、或いは、所定の設定条件に基づいて複数の異なる前記生成条件のいずれかを指定し、この指定された生成条件を他の撮像装置に設定する処理と、
を含むことを特徴とする撮像方法。
【請求項１４】
撮像装置のコンピュータを、
複数の撮像装置により撮像された各画像に関連付けられる名称を他の画像に対応する名称と互いに異ならせた固有の名称とする生成条件に従って、前記複数の撮像装置のそれぞれで撮像された各画像に対して異なる名称を自動的に生成させる名称生成手段、
ユーザによる操作部の所定操作に基づいて前記生成条件を任意に指定するか、或いは、所定の設定条件に基づいて複数の異なる前記生成条件のいずれかを指定し、この指定された生成条件を他の撮像装置に設定する設定手段、
として機能させることを特徴とするプログラム。
【請求項１５】
撮像装置を用いた撮像方法であって、
撮像手段により撮像された各画像に関連付けられる名称が他のいずれの画像に対応する名称とも互いに異ならせた固有の名称となるように、１つ１つの画像に対応させて異なる名称を自動的に生成していく生成条件に従って各画像に対応する名称を自動的に生成する処理と、
ユーザによる操作部の所定操作に基づいて前記生成条件を任意に設定するか、或いは、所定の設定条件に基づいて複数の異なる前記生成条件のいずれかを選択して設定する処理と、
を含むことを特徴とする撮像方法。
【請求項１６】
撮像装置のコンピュータを、
撮像手段により撮像された各画像に関連付けられる名称が他のいずれの画像に対応する名称とも互いに異ならせた固有の名称となるように、１つ１つの画像に対応させて異なる名称を自動的に生成していく生成条件に従って各画像に対応する名称を自動的に生成する名称生成手段、
ユーザによる操作部の所定操作に基づいて前記生成条件を任意に設定するか、或いは、所定の設定条件に基づいて複数の異なる前記生成条件のいずれかを選択して設定する設定手段、
として機能させることを特徴とするプログラム。
【発明の詳細な説明】
【技術分野】
【０００１】
本発明は、撮影した画像を記録する撮像装置、撮像方法及びプログラムに関する。
【背景技術】
【０００２】
従来、複数の撮像装置を用いて撮像する際に、各撮像装置により撮像される画像のファイル名が互いに重複しないように制御するシステムが知られている（例えば、特許文献１参照）。
【先行技術文献】
【特許文献】
【０００３】
【特許文献１】特開２００４−１４０７９５号公報
【発明の概要】
【発明が解決しようとする課題】
【０００４】
しかしながら、上記特許文献１の場合、ファイル名の番号部分を所定範囲内で予め定められた命名規則に従って付与するようになっているだけであり、例えば、ユーザ所望のファイル名を付与することができなかった。
【０００５】
そこで、本願発明の課題は、各画像に関連付けられる名称を任意の生成条件に従って生成することができる撮像装置、撮像方法及びプログラムを提供することである。
【課題を解決するための手段】
【０００６】
上記課題を解決するため、本発明に係る撮像装置は、
複数の撮像装置により撮像された各画像に関連付けられる名称を他の画像に対応する名称と互いに異ならせた固有の名称とする生成条件に従って、前記複数の撮像装置のそれぞれで撮像された各画像に対して異なる名称を自動的に生成させる名称生成手段と、ユーザによる操作部の所定操作に基づいて前記生成条件を任意に指定するか、或いは、所定の設定条件に基づいて複数の異なる前記生成条件のいずれかを指定し、この指定された生成条件を他の撮像装置に設定する設定手段と、を備えたことを特徴としている。
【０００７】
また、本発明の他の態様に係る撮像装置は、
撮像手段により撮像された各画像に関連付けられる名称が他のいずれの画像に対応する名称とも互いに異ならせた固有の名称となるように、１つ１つの画像に対応させて異なる名称を自動的に生成していく生成条件に従って各画像に対応する名称を自動的に生成する名称生成手段と、ユーザによる操作部の所定操作に基づいて前記生成条件を任意に設定するか、或いは、所定の設定条件に基づいて複数の異なる前記生成条件のいずれかを選択して設定する設定手段と、を備えたことを特徴としている。
【発明の効果】
【０００９】
本発明によれば、各画像に関連付けられる名称を任意の生成条件に従って生成することができる。
【図面の簡単な説明】
【００１０】
【図１】本発明を適用した一実施形態の撮像システムの概略構成を示す図である。
【図２】図１の撮像システムを構成する撮像装置の概略構成を示すブロック図である。
【図３】生成条件セットの一例を模式的に示す図である。
【図４】設定ファイルの一例を模式的に示す図である。
【図５】図２の撮像装置の記録媒体に記録される画像ファイルのファイル構成の一例を模式的に示す図である。
【図６】図２の撮像装置による撮像準備処理に係る動作の一例を示すフローチャートである。
【図７】図２の撮像装置による名称決定処理に係る動作の一例を示すフローチャートである。
【発明を実施するための形態】
【００１１】
以下に、本発明について、図面を用いて具体的な態様を説明する。ただし、発明の範囲は、図示例に限定されない。
【００１２】
図１は、本発明を適用した本実施形態の撮像システム１００の概略構成を示す図である。
図１に示すように、本実施形態の撮像システム１００は、連携撮像可能な複数の撮像装置１、…（図１には、３つ図示）を備え、これら撮像装置１、…の中で、連携撮像のマスタとなる何れか一の撮像装置１（１Ａ）と、スレーブとなる残りの他の撮像装置１（１Ｂ）との間で無線通信回線を介して情報通信可能に接続される。
なお、連携撮像とは、複数の撮像装置１、…で被写体や撮像のテーマを共通とする撮像や、複数の撮像装置１、…による撮像動作を連動させた撮像等のことである。
【００１３】
撮像装置１は、マスタとなるかスレーブとなるかによって動作の内容が異なるものの、構成自体は略同様となっている。
以下に、撮像装置１について、図２を参照して説明する。
【００１４】
図２は、撮像装置１の概略構成を示すブロック図である。
図２に示すように、撮像装置１は、中央制御部１０１と、メモリ１０２と、撮像部１０３と、画像データ処理部１０４と、表示部１０５と、記録媒体制御部１０６と、操作入力部１０７と、無線処理部１０８と、名称制御部１０９と、ファイル記録部１１０とを備えている。
また、中央制御部１０１、メモリ１０２、撮像部１０３、画像データ処理部１０４、表示部１０５、記録媒体制御部１０６、無線処理部１０８、名称制御部１０９及びファイル記録部１１０は、バスライン１１１を介して接続されている。
【００１５】
中央制御部１０１は、撮像装置１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、撮像装置１用の各種処理プログラム（図示略）に従って各種の制御動作を行う。
【００１６】
メモリ１０２は、例えば、ＤＲＡＭ（Dynamic Random Access Memory）等により構成され、中央制御部１０１の他、当該撮像装置１の各部によって処理されるデータ等を一時的に記憶するものである。
【００１７】
撮像部１０３は、被写体を撮像する撮像手段を構成している。具体的には、撮像部１０３は、レンズ部１０３ａと、電子撮像部１０３ｂと、撮像制御部１０３ｃとを備えている。
【００１８】
レンズ部１０３ａは、例えば、ズームレンズやフォーカスレンズ等の複数のレンズから構成されている。
電子撮像部１０３ｂは、例えば、ＣＣＤ（Charge Coupled Device）やＣＭＯＳ（Complementary Metal-oxide Semiconductor）等のイメージセンサから構成され、レンズ部１０３ａの各種レンズを通過した光学像を二次元の画像信号に変換する。
なお、図示は省略するが、撮像部１０３は、レンズ部１０３ａを通過する光の量を調整する絞りを備えていても良い。
【００１９】
撮像制御部１０３ｃは、撮像部１０３による被写体の撮像を制御する。即ち、撮像制御部１０３ｃは、図示は省略するが、タイミング発生器、ドライバなどを備えている。そして、撮像制御部１０３ｃは、タイミング発生器、ドライバにより電子撮像部１０３ｂを走査駆動して、所定周期毎にレンズ部１０３ａにより結像された光学像を電子撮像部１０３ｂにより二次元の画像信号に変換させ、当該電子撮像部１０３ｂの撮像領域から１画面分ずつフレーム画像を読み出して画像データ処理部１０４に出力させる。
【００２０】
画像データ処理部１０４は、被写体の画像データを生成する。
即ち、画像データ処理部１０４は、処理手段として、撮像部１０３により撮像されるフレーム画像を逐次処理する。具体的には、画像データ処理部１０４は、電子撮像部１０３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。そして、画像データ処理部は、生成された所定の解像度の画像データをメモリ１０２に出力する。
【００２１】
また、画像を記録する際には、画像データ処理部１０４は、被写体のＹＵＶデータを所定の符号化方式（例えば、ＪＰＥＧ形式、モーションＪＰＥＧ形式、ＭＰＥＧ形式等）に従って圧縮して、記録媒体制御部１０６に出力する。
また、画像を再生表示する場合には、画像データ処理部１０４は、記録媒体制御部１０６により記録媒体Ｍから読み出された表示対象に係る静止画像や動画像の画像データを対応する所定の符号化方式に従って復号して、表示制御部１０５ｂに出力する。このとき、画像データ処理部１０４は、読み出された画像データを、例えば、表示パネル１０５ａの表示解像度等に基づいて所定サイズ（例えば、ＶＧＡやＱＶＧＡサイズ）に縮小して表示制御部１０５ｂに出力しても良い。
【００２２】
表示部１０５は、表示パネル１０５ａと、表示制御部１０５ｂとを具備している。
表示パネル１０５ａは、表示領域内に画像を表示する。また、表示パネル１０５ａとしては、例えば、液晶表示パネルや有機ＥＬ表示パネルなどが挙げられるが、一例であってこれらに限られるものではない。
【００２３】
表示制御部１０５ｂは、記録媒体Ｍから読み出され画像データ処理部１０４により復号された所定サイズの画像データに基づいて、所定の画像を表示パネル１０５ａの表示画面に表示させる制御を行う。具体的には、表示制御部１０５ｂは、ＶＲＡＭ（Video Random Access Memory）、ＶＲＡＭコントローラ、デジタルビデオエンコーダなどを備えている。そして、デジタルビデオエンコーダは、画像データ処理部１０４により復号されてＶＲＡＭ（図示略）に記憶されている輝度信号Ｙ及び色差信号Ｃｂ，Ｃｒを、ＶＲＡＭコントローラを介してＶＲＡＭから所定の再生フレームレート（例えば、６０ｆｐｓ）で読み出して、これらのデータを元にビデオ信号を発生して表示パネル１０５ａに出力する。
【００２４】
記録媒体制御部１０６は、例えば、不揮発性メモリ（フラッシュメモリ）等の記録媒体Ｍが着脱自在に構成され、装着された記録媒体Ｍからのデータの読み出しや記録媒体Ｍに対するデータの書き込みを制御する。
即ち、記録媒体制御部１０６は、画像データ処理部１０４の符号化部（図示略）により所定の圧縮形式（例えば、ＪＰＥＧ形式、モーションＪＰＥＧ形式、ＭＰＥＧ形式等）で符号化された記録用の画像データを記録媒体Ｍの所定の記録領域に記録させる。
【００２５】
また、記録媒体制御部１０６は、所定の規格（例えば、ＤＣＦ（Design rule for Camera File system）等）に準拠したフォーマットで画像データをファイル化して、記録媒体Ｍに記録させる。このとき、記録媒体制御部１０６は、画像データのファイルの名称（ファイル名）や当該画像データが格納されるフォルダの名称（ファイル名）を決定する。
例えば、ＤＣＦ規格の場合、記録媒体制御部１０６は、ルートディレクトリの直下のディレクトリ名「ＤＣＩＭ」のディレクトリ（ＤＣＦイメージディレクトリ）の中に、画像データのファイル（ＤＣＦファイル）を格納するためのＤＣＦディレクトリを生成する（図５（ａ）等参照）。ＤＣＦディレクトリ名（フォルダ名）は、８文字からなり、先頭３文字が「１００」〜「９９９」の番号からなるディレクトリ番号と、このディレクトリ番号に続く５文字が任意の英数大文字からなる自由番号とを含んで構成されている。
ＤＣＦファイルは、例えば、拡張子を「ＪＰＧ」とするＥｘｉｆ規格に準拠した画像ファイルを含む。ＤＣＦファイル名（ファイル名）は、８文字からなり、先頭４文字が任意の英数大文字からなる自由番号と、この自由番号に続く４文字が「０００１」〜「９９９９」の番号からなるファイル番号とを含んで構成されている。
【００２６】
操作入力部１０７は、当該撮像装置１の所定操作を行うためのものである。具体的には、操作入力部１０７は、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等の操作部を備えている。そして、操作入力部１０７は、ユーザによる操作部の各ボタンの所定操作に応じて所定の操作信号を中央制御部１０１に出力する。
【００２７】
無線処理部１０８は、他の撮像装置１の無線処理部１０８との間で所定の無線通信を行い、当該他の撮像装置１の無線処理部１０８との間で情報の通信制御を行う。
即ち、無線処理部１０８は、所定の通信回線を介して通信する通信手段を構成している。具体的には、無線処理部１０８は、例えば、外部のアクセスポイント（固定基地局）を経由せずに直接他の撮像装置１の無線処理部１０８との間で無線通信回線を構築するPeer to Peer（アドホックモード）で動作する。例えば、無線処理部１０８は、無線ＬＡＮモジュール等から構成され、無線通信可能範囲内に存する他の撮像装置１の無線処理部１０８との間で無線ＬＡＮ（Local Area Network）等の所定の無線通信回線を介して信号の送受信を行う。
このとき、無線処理部１０８は、例えば、当該無線通信回線の通信方式、暗号化情報、チャンネル、ＩＰアドレス等の各種情報を他の撮像装置１の無線処理部１０８に送信する。
【００２８】
また、連携撮像のマスタの撮像装置１Ａにあっては、無線処理部１０８は、名称制御部１０９のファイル生成部１０９ｃ（後述）により生成された所定数の設定ファイルＦのうち、スレーブとなる各撮像装置１Ｂ用の設定ファイルＦｂ（図４（ｂ）参照）を当該撮像装置１Ｂに対して所定の無線通信回線を介して送信する。
一方、スレーブの各撮像装置１Ｂにあっては、無線処理部１０８は、マスタの撮像装置１Ａの無線処理部１０８から所定の無線通信回線を介して送信された設定ファイルＦｂを受信する。
【００２９】
なお、無線処理部１０８は、例えば、無線通信可能範囲内に存するアクセスポイントとの間で所定の無線通信回線を構築して、当該無線通信回線を介して他の撮像装置１の無線処理部１０８との間で信号の送受信を行うインフラストラクチャモードで動作しても良い。
また、無線処理部１０８は、例えば、記録媒体Ｍに内蔵された構成であっても良いし、当該装置本体に所定のインタフェース（例えば、ＵＳＢ（Universal Serial Bus）等）を介して接続された構成であっても良い。
また、無線通信回線は、無線ＬＡＮ（Local Area Network）に限られるものではなく、例えば、ＷＡＮ（Wide Area Network）等の様々な回線形態を適用しても良い。
【００３０】
名称制御部１０９は、生成条件生成部１０９ａと、生成条件設定部１０９ｂと、ファイル生成部１０９ｃと、判定部１０９ｄと、名称生成部１０９ｅとを具備している。
なお、名称制御部１０９の各部は、例えば、所定のロジック回路から構成されているが、当該構成は一例であってこれに限られるものではない。
【００３１】
生成条件生成部１０９ａは、各画像に関連付けられる名称を生成するための生成条件を生成する。
即ち、生成条件生成部（条件生成手段）１０９ａは、名称生成部１０９ｅにより生成され、複数の画像データの各々に関連付けられる名称を互いに異ならせた固有の名称とする生成条件を生成する。
ここで、画像データに関連付けられる名称とは、当該画像データのファイルの名称（ファイル名）及び当該画像データを格納するフォルダの名称（フォルダ名）のうち、少なくとも一方を含む。なお、ファイル名及びフォルダ名は、上記したように、所定の規格（例えば、ＤＣＦ等）に準拠したフォーマットで生成される。
【００３２】
具体的には、連携撮像にてマスタとなる撮像装置１Ａにあっては、生成条件生成部１０９ａは、連携撮像可能な複数の撮像装置１、…の各々に対応する複数の生成条件を含む生成条件セットを生成する（図３（ａ）等参照）。
生成条件セットには、撮像装置１の台数分の複数の生成条件が含まれ、例えば、マスタとなる１台目の撮像装置１Ａ用の生成条件、スレーブとなる２台目以降の撮像装置１Ｂ（所定の通信回線を介して接続される他の撮像装置１）用の生成条件が含まれる。
また、生成条件には、各撮像装置１毎に互いに異なる範囲内の番号を含む名称を生成するための条件が含まれている。即ち、生成条件生成部１０９ａは、画像データのファイル名に含まれる番号の範囲や画像データが格納されるフォルダ名に含まれる番号の範囲を複数の撮像装置１、…で互いに異ならせるような複数の生成条件を生成する。
また、生成条件セットに含まれる生成条件の数は、例えば、ユーザによる操作入力部１０７の所定操作に基づいて指定されても良いし、所定の無線通信回線を介して接続される撮像装置１の台数に応じて設定されても良い。
【００３３】
例えば、連携撮像される撮像装置１の数が３台の場合（図３（ａ）等参照）、生成条件生成部１０９ａは、例えば、デフォルトとして指定される生成条件セット１の他に、生成条件セット２や生成条件セット３等を生成する。
生成条件セット１は、例えば、１台目の撮像装置１（１Ａ）に係る生成条件として、ファイル番号（ファイル名に含まれる番号）の範囲を「１〜５０」とし、２台目の撮像装置１（１Ｂ）に係る生成条件として、ファイル番号の範囲を「５１〜１００」とし、３台目の撮像装置１（１Ｂ）に係る生成条件として、ファイル番号の範囲を「１０１〜１５０」とするように規定されている。
また、生成条件セット２は、例えば、１台目の撮像装置１（１Ａ）に係る生成条件として、ディレクトリ番号（フォルダ名に含まれる番号）の範囲を「１０５〜１０６」とし、且つ、ファイル番号の範囲を「１〜５０」とし、２台目の撮像装置１（１Ｂ）に係る生成条件として、ディレクトリ番号の範囲を「１０５〜１０６」とし、且つ、ファイル番号の範囲を「５１〜１００」とし、３台目の撮像装置１（１Ｂ）に係る生成条件として、ディレクトリ番号の範囲を「１０７〜１０８」とし、且つ、ファイル番号の範囲を「１０１〜１５０」とするように規定されている。
また、生成条件セット３は、例えば、１台目の撮像装置１（１Ａ）に係る生成条件として、ファイル番号の範囲を「１、４、７、１０、…、３ｎ−２（ｎは自然数）」とし、２台目の撮像装置１（１Ｂ）に係る生成条件として、ファイル番号の範囲を「２、５、８、１１、…、３ｎ−１（ｎは自然数）」とし、３台目の撮像装置１（１Ｂ）に係る生成条件として、ファイル番号の範囲を「３、６、９、１２、…、３ｎ（ｎは自然数）」とするように規定されている。
【００３４】
また、例えば、連携撮像される撮像装置１の数が２台の場合（図３（ｂ）等参照）、生成条件生成部１０９ａは、例えば、デフォルトとして指定される生成条件セット１の他に、生成条件セット２等を生成する。
生成条件セット１は、例えば、１台目の撮像装置１（１Ａ）に係る生成条件として、ファイル番号の範囲を偶数とし、２台目の撮像装置１（１Ｂ）に係る生成条件として、ファイル番号の範囲を奇数とするように規定されている。
また、生成条件セット２は、例えば、１台目の撮像装置１（１Ａ）に係る生成条件として、ファイル番号の範囲を「１〜１００」とし、２台目の撮像装置１（１Ｂ）に係る生成条件として、ファイル番号の範囲を「１０１〜２００」とするように規定されている。
【００３５】
なお、上記した生成条件セットの数は、一例であってこれに限られるものではなく、適宜任意に変更可能である。また、生成条件として、ＤＣＦファイルのファイル番号やＤＣＦディレクトリのディレクトリ番号の範囲を規定するものを例示したが、ＤＣＦファイルやＤＣＦディレクトリの自由番号の範囲を規定しても良い。
【００３６】
生成条件設定部１０９ｂは、各画像データに関連付けられる名称を生成するための生成条件を任意に設定する。
即ち、生成条件設定部１０９ｂは、設定手段として、ユーザによる操作入力部１０７の所定操作、或いは、所定の設定条件に基づいて、生成条件を任意に設定する。
具体的には、マスタの撮像装置１Ａにあっては、生成条件設定部１０９ｂは、ユーザによる操作入力部１０７の操作部（例えば、選択決定用ボタン等）の所定操作に基づいて指定された何れか一の生成条件を設定する。即ち、表示部１０５の表示制御部１０５ｂ（後述）は、表示制御手段として、生成条件生成部１０９ａにより生成された複数の生成条件セット（例えば、図３（ａ）に示す複数の生成条件セット１〜３等）を表示パネル１０５ａに表示させる。そして、表示制御部１０５ｂにより表示パネル１０５ａに表示された複数の生成条件セットの中で、ユーザによる操作部の選択決定ボタン等の所定操作に基づいて何れか一の生成条件セット（例えば、生成条件セット２等）が指定されると、生成条件設定部１０９ｂは、当該生成条件セットに含まれる複数の生成条件の中で、各撮像装置１用の生成条件を設定する。
また、生成条件設定部１０９ｂは、デフォルトとして指定されている生成条件を設定する。例えば、表示パネル１０５ａに表示された複数の生成条件セットの中で、何れの生成条件セットも指定されなかった場合には、生成条件設定部１０９ｂは、デフォルトとして指定されている生成条件セット（例えば、生成条件セット１等）に含まれる複数の生成条件の中で、マスタの撮像装置１Ａ用の生成条件（１台目の生成条件）を設定する。
【００３７】
なお、生成条件設定部１０９ｂは、例えば、複数の生成条件の中で、これまでに設定済みの生成条件セットを除外することで、これまでに設定済みの生成条件セットに含まれる生成条件に従って生成される各画像データと関連付けられている名称とは異なる複数の名称を生成するための生成条件を設定するようにしても良い。
【００３８】
一方、スレーブとなる撮像装置１Ｂにあっては、生成条件設定部１０９ｂは、マスタの撮像装置１Ａから送信され無線処理部１０８により受信された当該撮像装置１Ｂ用の設定ファイルＦｂが記録されているファイル記録部１１０から当該設定ファイルＦｂを読み出して取得し、この設定ファイルＦｂに含まれる生成条件（例えば、生成条件セット２に含まれる２台目や３台目の生成条件；図４（ｂ）、図４（ｃ）参照）を設定する。
【００３９】
ファイル生成部１０９ｃは、生成条件設定部１０９ｂにより設定された各撮像装置１用の生成条件に従って、各撮像装置１用の設定ファイルＦを生成する。
即ち、マスタの撮像装置１Ａにあっては、ファイル生成部１０９ｃは、１台目の撮像装置１Ａ用の生成条件に従って、当該撮像装置１Ａ用の設定ファイルＦａを生成する（図４（ａ）参照）。そして、ファイル生成部１０９ｃは、生成された撮像装置１Ａ用の設定ファイルＦａをファイル記録部１１０に転送して記録させる。
また、ファイル生成部１０９ｃは、スレーブとなる２台目や３台目の撮像装置１Ｂ用の生成条件に従って、当該各撮像装置１Ｂ用の設定ファイルＦｂを生成する（図４（ｂ）及び図４（ｃ）参照）。そして、ファイル生成部１０９ｃは、生成された各撮像装置１Ｂ用の設定ファイルＦｂを無線処理部１０８に転送して、無線処理部１０８は、当該設定ファイルＦｂを対応する各撮像装置１Ｂに所定の無線通信回線を介して送信する。
【００４０】
判定部（判定手段）１０９ｄは、設定ファイルＦがファイル記録部１１０に記録されているか否かを判定する。
即ち、マスタの撮像装置１Ａにあっては、判定部１０９ｄは、ファイル生成部１０９ｃにより生成された当該撮像装置１Ａ用の設定ファイルＦａがファイル記録部１１０に記録されているか否かを判定する。一方、スレーブとなる撮像装置１Ｂにあっては、判定部１０９ｄは、マスタの他の撮像装置１Ａから送信され無線処理部１０８により受信された当該撮像装置１Ｂ用の設定ファイルＦｂがファイル記録部１１０に記録されているか否かを判定する。
【００４１】
名称生成部１０９ｅは、各画像データに関連付けられる名称を生成条件に従って自動的に生成する。
即ち、名称生成部１０９ｅは、名称生成手段として、生成条件設定部１０９ｂにより設定された生成条件に従って各画像データに関連付けられる名称を自動的に生成する。また、名称生成部１０９ｅは、画像データ処理部１０４により記録される画像データが生成された際、即ち、撮像部１０３による被写体の撮像が行われた際に、各画像データに関連付けられる名称を自動的に決定する名称決定処理（図７参照；後述）を行うことで、当該名称を生成する。
具体的には、マスタの撮像装置１Ａにあっては、名称生成部１０９ｅは、ファイル記録部１１０から当該撮像装置１Ａ用の設定ファイルＦａを読み出して取得し、この設定ファイルＦａに含まれる生成条件（例えば、生成条件セット２に含まれる１台目の生成条件；図４（ａ）参照）に従って、画像データのファイル名や当該画像データが格納されるフォルダのフォルダ名を生成する。例えば、図５（ａ）に示すように、名称生成部１０９ｅは、ディレクトリ名「ＤＣＩＭ」のディレクトリの中に生成されるＤＣＦディレクトリの名称（フォルダ名）のうち、ディレクトリ番号を「１０５」、「１０６」とする。また、名称生成部１０９ｅは、ＤＣＦディレクトリの中に格納されるＤＣＦファイルの名称（ファイル名）のうち、ファイル番号を「０００１」〜「００５０」とする。
また、スレーブとなる各撮像装置１Ｂにあっては、名称生成部１０９ｅは、ファイル記録部１１０から当該撮像装置１Ｂ用の設定ファイルＦｂを読み出して取得し、この設定ファイルＦｂに含まれる生成条件（例えば、生成条件セット２に含まれる２台目や３台目の生成条件；図４（ｂ）、図４（ｃ）参照）に従って、画像データのファイル名や当該画像データが格納されるフォルダのフォルダ名を生成する。例えば、図５（ｂ）に示すように、２台目の撮像装置１Ｂの名称生成部１０９ｅは、ディレクトリ名「ＤＣＩＭ」のディレクトリの中に生成されるＤＣＦディレクトリの名称（フォルダ名）のうち、ディレクトリ番号を「１０５」、「１０６」とする。また、名称生成部１０９ｅは、ＤＣＦディレクトリの中に格納されるＤＣＦファイルの名称（ファイル名）のうち、ファイル番号を「００５１」〜「０１００」とする。また、図５（ｃ）に示すように、３台目の撮像装置１Ｂの名称生成部１０９ｅは、ディレクトリ名「ＤＣＩＭ」のディレクトリの中に生成されるＤＣＦディレクトリの名称（フォルダ名）のうち、ディレクトリ番号を「１０７」、「１０８」とする。また、名称生成部１０９ｅは、ＤＣＦディレクトリの中に格納されるＤＣＦファイルの名称（ファイル名）のうち、ファイル番号を「０００１」〜「００５０」とする。
【００４２】
また、名称生成部１０９ｅは、判定部１０９ｄにより設定ファイルＦがファイル記録部１１０に記録されていないと判定された場合に、デフォルトとして指定されている他の生成条件に従って画像データに関連付けられる名称を生成する。
即ち、名称生成部１０９ｅは、例えば、デフォルトとして指定されている生成条件セット１（図３（ａ）等参照）を含む設定ファイルＦをファイル記録部１１０から取得して、当該設定ファイルＦの生成条件セット１に基づいて画像データのファイル名や当該画像データが格納されるフォルダのフォルダ名を生成する。
【００４３】
ファイル記録部１１０は、設定ファイルＦを記録する。
即ち、ファイル記録部１１０は、生成条件設定部１０９ｂにより設定された生成条件を含む設定情報を記録する記録手段を構成している。具体的には、マスタの撮像装置１Ａにあっては、ファイル記録部１１０は、ファイル生成部１０９ｃにより生成された当該撮像装置１Ａ用の設定ファイルＦａを取得して記録する。一方、スレーブとなる撮像装置１Ｂにあっては、ファイル記録部１１０は、マスタである他の撮像装置１Ａにより生成されて送信され無線処理部１０８により受信された当該撮像装置１Ｂ用の設定ファイルＦｂを取得して記録する。
【００４４】
次に、本実施形態の撮像システム１００を構成する各撮像装置１の動作について、図６及び図７を参照して説明する。
【００４５】
＜撮像準備処理＞
先ず、撮像準備処理について図６を参照して説明する。
図６は、撮像準備処理に係る動作の一例を示すフローチャートである。
撮像準備処理は、連携撮像前に、複数の撮像装置１、…の各々で逐次実行される処理である。
【００４６】
図６に示すように、複数の撮像装置１、…の各々の中央制御部１０１のＣＰＵは、ユーザによる操作入力部１０７の所定操作に基づいて連携撮像の実行指示が入力されているか否かを判定する（ステップＳ１）。
ここで、複数の撮像装置１、…のうち、中央制御部１０１のＣＰＵによって連携撮像の実行指示が入力されている（ステップＳ１；ＹＥＳ）と判定された撮像装置１が連携撮像のマスタとなり、中央制御部１０１のＣＰＵによって連携撮像の実行指示が入力されていない（ステップＳ１；ＮＯ）と判定された撮像装置１が連携撮像のスレーブとなる。
【００４７】
ステップＳ１にて、連携撮像の実行指示が入力されている（ステップＳ１；ＹＥＳ）と判定された撮像装置１（例えば、マスタの撮像装置１Ａ）にあっては、中央制御部１０１のＣＰＵは、無線処理部１０８により無線通信可能範囲内に存する連携撮像可能な周辺の他の撮像装置１を探索する（ステップＳ２）。例えば、中央制御部１０１のＣＰＵは、無線処理部１０８によりアドホックモードにて通信可能な他の撮像装置１の無線処理部１０８を探索する。
一方、ステップＳ１にて、連携撮像の実行指示が入力されていない（ステップＳ１；ＮＯ）と判定された撮像装置１（例えば、スレーブとなる撮像装置１Ｂ）にあっては、中央制御部１０１のＣＰＵは、ステップＳ２〜Ｓ１０（後述）の処理をスキップして、処理をステップＳ１１に移行させる。
【００４８】
ステップＳ２による他の撮像装置１の探索後、生成条件生成部１０９ａは、検出された撮像装置１の台数分（例えば、３台等）の生成条件を含む生成条件セット（例えば、生成条件セット１〜３等）を複数生成する（ステップＳ３）。続けて、表示制御部１０５ｂは、生成条件生成部１０９ａにより生成された複数の生成条件セットを表示パネル１０５ａに一覧形式で表示させる（ステップＳ４）。
そして、中央制御部１０１のＣＰＵは、ユーザによる操作入力部１０７の選択決定ボタン等の所定操作に基づいて何れか一の生成条件セットの選択指示が入力されたか否かを判定する（ステップＳ５）。
【００４９】
マスタの撮像装置１Ａにあっては、ステップＳ５にて、何れか一の生成条件セットの選択指示が入力されたと判定されると（ステップＳ５；ＹＥＳ）、生成条件設定部１０９ｂは、選択された当該生成条件セットに含まれる複数の生成条件を対応する各撮像装置１毎に割り当てる（ステップＳ６）。その後、ファイル生成部１０９ｃは、当該マスタ（１台目）である撮像装置１に割り当てられた生成条件に従って、当該撮像装置１Ａ用の設定ファイルＦａ（図４（ａ）参照）を生成するとともに、スレーブとなる２台目の撮像装置１Ｂや３台目の撮像装置１Ｂに割り当てられた生成条件に従って、当該各撮像装置１用の設定ファイルＦｂ（図４（ｂ）及び図４（ｃ）参照）を生成する（ステップＳ７）。
一方、ステップＳ５にて、何れか一の生成条件セットの選択指示が入力されていないと判定されると（ステップＳ５；ＮＯ）、生成条件設定部１０９ｂは、複数の生成条件セットの中で、デフォルトとして指定されている生成条件セット（例えば、生成条件セット１等）を選択した後（ステップＳ８）、処理をステップＳ６に移行させる。そして、選択された生成条件セットに基づいて、上記と同様に、生成条件設定部１０９ｂは、複数の生成条件を対応する各撮像装置１毎に割り当てた後（ステップＳ６）、ファイル生成部１０９ｃは、各撮像装置１に割り当てられた生成条件に従って、当該撮像装置１用の設定ファイルＦをそれぞれ生成する（ステップＳ７）。
【００５０】
次に、マスタの撮像装置１Ａにあっては、ファイル記録部１１０は、ファイル生成部１０９ｃにより生成された自己の撮像装置１に対応する設定ファイルＦａを取得して記録する（ステップＳ９）。
その後、無線処理部１０８は、スレーブとなる他の各撮像装置１Ｂに対して、ファイル生成部１０９ｃにより生成された各撮像装置１Ｂに対応する設定ファイルＦｂを連携撮像の要求指示と対応付けて所定の無線通信回線を介して送信する（ステップＳ１０）。
【００５１】
続けて、各撮像装置１にあっては、中央制御部１０１のＣＰＵは、無線処理部１０８を介して他の撮像装置１（マスタの撮像装置１Ａ）から連携撮像の要求指示が入力されたか否かを判定する（ステップＳ１１）。
ここで、スレーブとなる撮像装置１Ｂにあっては、中央制御部１０１のＣＰＵは、連携撮像の要求指示が入力されたと判定し（ステップＳ１１；ＹＥＳ）、当該撮像装置１Ｂのファイル記録部１１０は、無線処理部１０８により受信された連携撮像の要求指示と対応付けられている設定ファイルＦｂを取得して記録する（ステップＳ１２）。
一方、ステップＳ１１にて、マスタの撮像装置１Ａにあっては、中央制御部１０１のＣＰＵは、連携撮像の要求指示が入力されていないと判定し（ステップＳ１１；ＮＯ）、ステップＳ１２の処理をスキップする。
【００５２】
次に、その後、各撮像装置１にあっては、中央制御部１０１のＣＰＵは、ユーザによる操作入力部１０７の選択決定ボタン等の所定操作に基づいて設定ファイルＦの編集指示が入力されたか否かを判定する（ステップＳ１３）。
ここで、設定ファイルＦの編集指示が入力されたと判定されると（ステップＳ１３；ＹＥＳ）、中央制御部１０１のＣＰＵは、ユーザによる操作入力部１０７の所定操作に応じて設定ファイルＦの内容（例えば、フォルダ名やファイル名の生成条件等）の編集処理を行って（ステップＳ１４）、当該撮像準備処理を終了する。
一方、ステップＳ１３にて、設定ファイルＦの編集指示が入力されていないと判定されると（ステップＳ１３；ＮＯ）、中央制御部１０１のＣＰＵは、ステップＳ１４の処理をスキップして、当該撮像準備処理を終了する。
【００５３】
＜名称決定処理＞
先ず、名称決定処理について図７を参照して説明する。
図７は、名称決定処理に係る動作の一例を示すフローチャートである。
名称決定処理は、各撮像装置１の撮像部１０３により被写体の撮像が行われて、画像データ処理部１０４により記録される画像データが生成される際に、当該画像データと関連付けられる名称を生成するために各撮像装置１の名称生成部１０９ｅにより実行される処理である。
以下の説明では、マスタの撮像装置１Ａにより実行される名称決定処理を例示して説明し、スレーブの撮像装置１Ｂによっても同様の処理が行われるため、その処理内容は省略する。
【００５４】
図７に示すように、先ず、マスタの撮像装置１Ａの名称生成部１０９ｅは、ファイル記録部１１０に設定ファイルＦａが記録されているか否かを判定する（ステップＳ２１）。
ここで、設定ファイルＦａが記録されていると判定されると（ステップＳ２１；ＹＥＳ）、名称生成部１０９ｅは、前回のフォルダ番号（例えば、「１０５」等）をフォルダ番号（例えば、ＤＣＦディレクトリのディレクトリ番号等）として指定するとともに、前回のファイル番号（例えば、「１」等）を＋１インクリメントしてファイル番号（例えば、ＤＣＦファイルの自由番号等）を指定する（ステップＳ２２）。
なお、フォルダ番号やファイル番号における前回とは、既に決定されている番号のうち、最も新しい番号に対応している。また、ここでは前回のファイル番号を＋１インクリメントしたが、設定ファイルＦａに含まれる生成条件に応じてインクリメントする数を変えるようにしてもよい。
【００５５】
続けて、名称生成部１０９ｅは、指定されたファイル番号が自己の撮像装置１Ａ用の設定ファイルＦａ（図４（ａ）参照）に規定されているファイル番号の範囲に含まれているか否かを判定する（ステップＳ２３）。なお、ファイル番号の範囲が上限と下限で規定される生成条件の場合には、ファイル番号をインクリメントした際に上限を超えないことだけを判定するようにしてもよい。
ステップＳ２３にて、ファイル番号の範囲に含まれている（上限を超えていない）と判定されると（ステップＳ２３；ＹＥＳ）、名称生成部１０９ｅは、指定されたフォルダ番号が自己の撮像装置１Ａ用の設定ファイルＦａに規定されているフォルダ番号の範囲に含まれているか否かを判定する（ステップＳ２４）。
【００５６】
ステップＳ２４にて、フォルダ番号の範囲に含まれている（上限を超えていない）と判定されると（ステップＳ２４；ＹＥＳ）、名称生成部１０９ｅは、指定されたフォルダ番号やファイル番号が既に存在しているか否かを判定する（ステップＳ２５）。
ステップＳ２５にて、フォルダ番号やファイル番号が存在していないと判定されると（ステップＳ２５；ＮＯ）、名称生成部１０９ｅは、当該フォルダ番号及びファイル番号を画像データと関連付けられるフォルダ及びファイルの名称として決定する（ステップＳ２６）。
【００５７】
一方、ステップＳ２５にて、フォルダ番号やファイル番号が存在すると判定されると（ステップＳ２５；ＹＥＳ）、名称生成部１０９ｅは、フォルダ番号をそのままとし、指定されたファイル番号（例えば、「２」等）を＋１インクリメントしてファイル番号を指定する（ステップＳ２７）。
その後、名称生成部１０９ｅは、処理をステップＳ２３に移行して、それ以降の各処理を上記と同様に実行し、ステップＳ２５にて、フォルダ番号やファイル番号が存在していないと判定すると（ステップＳ２５；ＮＯ）、処理をステップＳ２６に移行する。
【００５８】
一方、ステップＳ２３にて、ファイル番号の範囲に含まれていない（上限を超えている）と判定されると（ステップＳ２３；ＮＯ）、名称生成部１０９ｅは、ステップＳ２２にて指定されたフォルダ番号を＋１インクリメントしてフォルダ番号（例えば、「１０６」等）を指定するとともに、最小のファイル番号（例えば、「１」等）をファイル番号として指定する（ステップＳ２８）。
その後、ステップＳ２４にて、上記と同様に、名称生成部１０９ｅは、指定されたフォルダ番号が自己の撮像装置１Ａ用の設定ファイルＦａに規定されているフォルダ番号の範囲に含まれているか否かを判定する（ステップＳ２４）。
ステップＳ２４にて、フォルダ番号の範囲に含まれている（上限を超えていない）と判定された場合（ステップＳ２４；ＹＥＳ）、名称生成部１０９ｅは、処理をステップＳ２５に移行して、それ以降の各処理を上記と同様に実行する。
【００５９】
ステップＳ２４にて、フォルダ番号の範囲に含まれていない（上限を超えている）と判定されると（ステップＳ２４；ＮＯ）、即ち、例えば、ステップＳ２６にて、フォルダ番号「１０７」等が指定された場合には、名称生成部１０９ｅは、自己の撮像装置１Ａ用の設定ファイルＦａに規定されているフォルダ番号及びファイル番号の全ての範囲をチェックして、全てのフォルダ番号及びファイル番号が既に存在するか否かを判定する（ステップＳ２９）。
ステップＳ２９にて、全てのフォルダ番号及びファイル番号が存在しないと判定されると（ステップＳ２９；ＮＯ）、即ち、設定ファイルＦａに規定されているフォルダ番号及びファイル番号の範囲内で欠番が存在しているので、名称生成部１０９ｅは、最小のフォルダ番号（例えば、「１０５」等）をフォルダ番号として指定するとともに、最小のファイル番号（例えば、「１」等）をファイル番号として指定する（ステップＳ３０）。その後、名称生成部１０９ｅは、処理をステップＳ２５に移行して、それ以降の各処理を上記と同様に実行することで、欠番を探索する。
そして、ステップＳ２５にて、フォルダ番号やファイル番号が存在していないと判定されると（ステップＳ２５；ＮＯ）、即ち、指定されたフォルダ番号やファイル番号が欠番となっているので、名称生成部１０９ｅは、処理をステップＳ２６に移行して、当該フォルダ番号及びファイル番号を画像データと関連付けられるフォルダ及びファイルの名称として決定する（ステップＳ２６）。
【００６０】
一方、ステップＳ２９にて、全てのフォルダ番号及びファイル番号が存在すると判定されると（ステップＳ２９；ＹＥＳ）、即ち、設定ファイルＦａに規定されているフォルダ番号及びファイル番号の範囲内で欠番が存在しないので、名称生成部１０９ｅは、名称決定処理をエラー処理とし、表示制御部１０５ｂは、ファイル数がフルである旨を表示パネル１０５ａに表示させる（ステップＳ３１）。
【００６１】
一方、ステップＳ２１にて、設定ファイルＦａが記録されていないと判定されると（ステップＳ２１；ＮＯ）、中央制御部１０１のＣＰＵは、設定ファイルＦａの内容を基準としない通常の名称決定処理を行って（ステップＳ３２）、当該名称決定処理を終了する。
【００６２】
このようにして複数の撮像装置１、…で個別に撮像して記録された複数の画像ファイルは、例えば、メモリーカードや通信ケーブルを介してパーソナルコンピュータなどに移動またはコピーされ、一括して管理または電子アルバム生成などの所定の処理が施されることになる。このとき、全てのファイル名が重複しない生成条件を用いた場合であれば全てのファイルを１つのフォルダ内に移動またはコピーすればよいが、フォルダ名とファイル名の組み合わせが重複しない生成条件を用いた場合には、フォルダごとファイルを移動またはコピーすればよい。
また、複数の撮像装置１、…で個別に撮像して記録された複数の画像ファイルを、マスタの撮像装置１Ａ（スレーブの撮像装置１Ｂ）からの無線通信による指令によって自動的に収集し、マスタの撮像装置１Ａ（スレーブの撮像装置１Ｂ）上で一括して管理または所定の処理を実行するようにしてもよい。
【００６３】
以上のように、本実施形態の撮像システム１００によれば、各画像に関連付けられる名称（例えば、画像が記録されるファイルの名称や当該画像を格納するフォルダの名称等）の生成条件を、ユーザによる操作入力部１０７の所定操作、或いは、所定の設定条件に基づいて任意に設定するので、各画像に関連付けられる名称を任意の生成条件に従って生成することができる。即ち、例えば、ユーザ所望の生成条件やデフォルトの生成条件に従って各画像に関連付けられる名称を生成することができ、当該名称の生成の自由度を向上させることができる。
具体的には、設定された生成条件を含む設定ファイルＦを記録しておくことで、各画像に関連付けられる名称の生成の際に設定ファイルＦを読み出して、当該設定ファイルＦに含まれる生成条件を利用して、各画像に関連付けられる名称を任意の生成条件で生成することができる。さらに、設定ファイルＦが記録されていない場合には、予め設定されている他の生成条件、即ち、例えば、デフォルトの生成条件等に従って画像に関連付けられる名称を生成することができる。
【００６４】
また、生成条件には、所定の通信回線を介して接続される他の撮像装置１（例えば、スレーブとなる撮像装置１Ｂ等）により撮像される画像に関連付けられる名称を生成する際の条件が含まれるので、他の撮像装置１により撮像される画像に関連付けられる名称も任意の生成条件で生成することができる。これにより、例えば、他の撮像装置１との連携撮像において、各画像に関連付けられる名称が同一になってしまうことを防止することができ、何れかの撮像装置１や外部のコンピュータ（図示略）等を用いた撮像後のファイル管理の際にファイル名やフォルダ名の変更などの煩わしい作業を不要とすることができる。
さらに、例えば、スレーブとなる撮像装置１Ｂにあっては、所定の通信回線を介して接続される他の撮像装置１（例えば、マスタの撮像装置１Ａ等）から送信されて受信された設定ファイルＦを記録しておくことで、各画像に関連付けられる名称の生成の際に設定ファイルＦを読み出して、当該設定ファイルＦに含まれる生成条件を利用して、各画像に関連付けられる名称を任意の生成条件で生成することができる。
また、画像に関連付けられる名称が番号を含む名称である場合に、所定の通信回線を介して接続される撮像装置１毎に互いに異なる範囲内の番号を含む名称を生成することができ、他の撮像装置１との連携撮像において、各画像のファイル名やフォルダ名に含まれる番号が同一となってしまうことを防止することができることとなって、撮像後のファイル管理をより容易なものとすることができる。
【００６５】
また、これまでに設定済みの生成条件に従って生成される複数の名称とは異なる複数の名称を生成するための生成条件を設定することで、各画像に関連付けられる名称が同一になってしまうことを防止することができる。特に、所定の通信回線を介して接続された他の撮像装置１に設定された生成条件に従って生成される複数の名称とは異なる複数の名称を生成するための生成条件を設定することで、他の撮像装置１との連携撮像において、各画像に関連付けられる名称が同一となってしまうことを防止することができ、撮像後のファイル管理をより容易なものとすることができる。
【００６６】
また、各々の生成条件に従って生成される複数の名称を互いに異ならせるような複数の生成条件を生成するので、各画像に関連付けられる名称の自由度をさらに向上させることができる。さらに、生成された複数の生成条件を表示パネル１０５ａに表示させ、表示された複数の生成条件の中で、ユーザによる操作入力部１０７の所定操作に基づいて指定された何れか一の生成条件を設定するので、ユーザ所望の生成条件に従って各画像に関連付けられる名称を生成することができる。
【００６７】
また、ユーザによる操作入力部１０７の所定操作に基づいて指定されるか、或いは、所定の通信回線を介して接続される撮像装置１の数に応じて、当該撮像装置１の台数分の生成条件を生成するので、他の全ての撮像装置１によって撮像される各画像に関連付けられる名称を任意の生成条件で生成することができ、例えば、他の撮像装置１との連携撮像後のファイル管理をより容易なものとすることができる。
【００６８】
なお、本発明は、上記実施形態に限定されることなく、本発明の趣旨を逸脱しない範囲において、種々の改良並びに設計の変更を行っても良い。例えば、所定の通信回線として、無線通信回線を例示して説明したが、撮像装置１どうしを有線ケーブル等により接続して通信を行う有線通信回線であっても良い。
【００６９】
さらに、連携撮像を行う複数の撮像装置１、…を備える撮像システム１００を例示したが、撮像システム１００を構成するか否かに拘わらず一の撮像装置１について本発明を適用しても良い。
また、撮像装置１の構成は、上記実施形態に例示したものは一例であり、これらに限られるものではない。
【００７０】
加えて、上記実施形態にあっては、名称生成手段、設定手段としての機能を、中央制御部１０１の制御下にて、名称生成部１０９ｅ、生成条件設定部１０９ｂが駆動することにより実現される構成としたが、これに限られるものではなく、中央制御部１０１のＣＰＵによって所定のプログラム等が実行されることにより実現される構成としても良い。
即ち、プログラムを記憶するプログラムメモリ（図示略）に、名称生成処理ルーチン、設定処理ルーチンを含むプログラムを記憶しておく。そして、名称生成処理ルーチンにより中央制御部１０１のＣＰＵを、撮像手段により撮像された各画像に関連付けられる名称を他の画像に対応する名称と互いに異ならせた固有の名称とする生成条件に従って自動的に生成する名称生成手段として機能させるようにしても良い。また、設定処理ルーチンにより中央制御部１０１のＣＰＵを、ユーザによる操作部の所定操作、或いは、所定の設定条件に基づいて生成条件を任意に設定する設定手段として機能させるようにしても良い。
【００７１】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段により撮像された各画像に関連付けられる名称を他の画像に対応する名称と互いに異ならせた固有の名称とする生成条件に従って自動的に生成する名称生成手段と、
ユーザによる操作部の所定操作、或いは、所定の設定条件に基づいて前記生成条件を任意に設定する設定手段と、
を備えたことを特徴とする撮像装置。
＜請求項２＞
前記設定手段により設定された生成条件を含む設定情報を記録する記録手段を更に備えることを特徴とする請求項１に記載の撮像装置。
＜請求項３＞
前記設定情報が前記記録手段に記録されているか否かを判定する判定手段を更に備え、
前記名称生成手段は、前記判定手段により前記設定情報が記録されていないと判定された場合に、予め設定されている他の生成条件に従って前記画像の名称を生成することを特徴とする請求項２に記載の撮像装置。
＜請求項４＞
前記生成条件は、所定の通信回線を介して接続される他の撮像装置により撮像される画像に関連付けられる名称を生成する際の条件を含むことを特徴とする請求項２又は３に記載の撮像装置。
＜請求項５＞
所定の通信回線を介して接続される他の撮像装置と通信する通信手段を更に備え、
前記記録手段は、前記他の撮像装置から送信され前記通信手段により受信された前記設定情報を記録することを特徴とする請求項２〜４の何れか一項に記載の撮像装置。
＜請求項６＞
前記設定手段は、これまでに設定済みの生成条件に従って生成される複数の名称とは異なる複数の名称を生成するための生成条件を設定することを特徴とする請求項１〜５の何れか一項に記載の撮像装置。
＜請求項７＞
前記設定手段は、所定の通信回線を介して接続された他の撮像装置に設定された生成条件に従って生成される複数の名称とは異なる複数の名称を生成するための生成条件を設定することを特徴とする請求項６に記載の撮像装置。
＜請求項８＞
各々の生成条件に従って前記名称生成手段により生成される複数の名称を互いに異ならせるような複数の生成条件を生成する第１条件生成手段を更に備えることを特徴とする請求項１〜７の何れか一項に記載の撮像装置。
＜請求項９＞
前記第１条件生成手段により生成された前記複数の生成条件を表示手段に表示させる表示制御手段を更に備え、
前記設定手段は、前記表示制御手段により表示された前記複数の生成条件の中で、ユーザによる操作部の所定操作に基づいて指定された何れか一の生成条件を設定することを特徴とする請求項８に記載の撮像装置。
＜請求項１０＞
ユーザによる操作部の所定操作に基づいて指定されるか、或いは、所定の通信回線を介して接続される撮像装置の数に応じて、当該撮像装置の台数分の生成条件を生成する第２条件生成手段を更に備えることを特徴とする請求項１〜７の何れか一項に記載の撮像装置。
＜請求項１１＞
前記画像に関連付けられる名称は、当該画像が記録されるファイルの名称及び当該画像を格納するフォルダの名称のうち、少なくとも一方を含むことを特徴とする請求項１〜１０の何れか一項に記載の撮像装置。
＜請求項１２＞
前記画像に関連付けられる名称は、番号を含む名称であり、
前記生成条件は、所定の通信回線を介して接続される撮像装置毎に互いに異なる範囲内の番号を含む名称を生成するための条件を含むことを特徴とする請求項１〜１１の何れか一項に記載の撮像装置。
＜請求項１３＞
撮像装置を用いた撮像方法であって、
撮像手段により撮像された各画像に関連付けられる名称を他の画像に対応する名称と互いに異ならせた固有の名称とする生成条件に従って自動的に生成する処理と、
ユーザによる操作部の所定操作、或いは、所定の設定条件に基づいて前記生成条件を任意に設定する処理と、
を含むことを特徴とする撮像方法。
＜請求項１４＞
撮像装置のコンピュータを、
撮像手段により撮像された各画像に関連付けられる名称を他の画像に対応する名称と互いに異ならせた固有の名称とする生成条件に従って自動的に生成する名称生成手段、
ユーザによる操作部の所定操作、或いは、所定の設定条件に基づいて前記生成条件を任意に設定する設定手段、
として機能させることを特徴とするプログラム。
【符号の説明】
【００７３】
１００    撮像システム
１        撮像装置
１０３    撮像部
１０５    表示部
１０５ａ  表示パネル
１０５ｂ  表示制御部
１０７    操作入力部
１０８    無線処理部
１０９    名称制御部
１０９ａ  生成条件生成部
１０９ｂ  生成条件設定部
１０９ｄ  判定部
１０９ｅ  名称生成部
１１０    ファイル記録部
Ｆ        設定ファイル
【図１】
0006035876.tif 000002
【図２】
0006035876.tif 000003
【図３】
0006035876.tif 000004
【図４】
0006035876.tif 000005
【図５】
0006035876.tif 000006
【図６】
0006035876.tif 000007
【図７】
0006035876.tif 000008